【手続補正書】
【提出日】平成20年2月12日(2008.2.12)
【手続補正１】
【補正対象書類名】明細書
【補正対象項目名】特許請求の範囲
【補正方法】変更
【補正の内容】
【特許請求の範囲】
【請求項１】  通信リンクもしくはネットワーク（１０７）上でデータ源（１０１，１０５)からデータを取得する方法であって、
該データは、
１以上の更新可能な領域(２０５)を有するグラフィカル要素(２０２)と、
該更新可能な領域(２０５)に対応している１以上の更新可能な要素(２０７)とを備え、
該方法は、
該データ源（１０１，１０５)から該データを要求する段階と、
該グラフィカル要素（２０２）と、少くとも一つの更新可能な要素(２０７)と、表示された該グラフィカル要素（２０２）の該更新可能な領域(２０５)の更新を制御する制御プログラム（２０９）とを受信する段階と、
該グラフィカル要素（２０２）を表示する段階と、
１以上の更新された要素(２０７)を取得する段階と、
該制御プログラム（２０９）の制御の下で、該対応する更新された要素(２０７)を用いて該表示されたグラフィカル要素（２０２）の該更新可能な領域(２０５)を更新する段階とを備えた方法。
【請求項２】  通信リンクもしくはネットワーク（１０７）上でデータ源(１０１，１０５)から宛先装置（１０９ａ−ｅ）へ向けてデータを供給する方法であって、
該データは、
１以上の更新可能な領域（２０５)を有するグラフィカル要素（２０２）と、
該更新可能な領域(２０５)に対応している１以上の更新可能な要素（２０７）とを備え、
該方法は、
該宛先装置（１０９ａ−ｅ）からのデータ要求に応答して、該グラフィカル要素（２０２）と、少くとも一つの更新可能な要素(２０７)と、表示された該グラフィカル要素の該更新可能な領域（２０５）の更新を該更新可能な要素を用いて制御する制御プログラム（２０９）とを送る段階と、
１以上の更新された要素（２０７）を送る段階とを備えた方法。
【請求項３】  請求項１に記載の方法であって、
該更新可能な要素（２０７）はデータ要素（２０７）を含み、また
表示されたグラフィカル要素（２０２）の該更新可能な領域（２０５）を更新する段階は、該データ要素（２０７）を該対応している更新可能な領域（２０５）内に入れることを含んでいる方法。
【請求項４】  請求項１ないし３のいずれか１項記載の方法であって、
該データはさらに、代りのグラフィカルサブ要素（５０３）の少くとも一組を備え、
該更新可能な要素（５１６，５１７ａ、ｂ）は、該グラフィカル要素（５０２）の領域内に表示されることになる該少なくとも一組の代わりのグラフィカルサブ要素（５１３）またはその一つから、少なくとも一つのグラフィカルサブ要素を識別する１以上のサブ要素命令（５１７ａ）を含んでおり、さらに、
該表示されたグラフィカル要素（５０２）の該更新可能な領域（５０５）を更新する段階は、該更新されたサブ要素命令（５１７ａ）に従って、該または各適切なグラフィカルサブ要素（５１３）を該表示されたグラフィカル要素（５０２）の該または各対応する領域内に表示することを含んでいる方法。
【請求項５】  通信リンクもしくはネットワーク上でデータを送るためのシステムであって、該システムは該通信リンクもしくはネットワーク（１０７）によって相互接続された第一の装置（１０１，１０５)と第二の装置（１０９ａ−ｅ）とを備えており、
該データは、
１以上の更新可能な領域（２０５）を有するグラフィカル要素と、
該更新可能な領域（２０５）に対応している１以上の更新可能な要素（２０７）と、を備えており、
該第一の装置（１０１，１０５)は、
該第二の装置（１０９ａ−ｅ）からの要求に応答して該第二の装置に向けて該グラフィカル要素（２０２）と、少くとも一つの更新可能な要素（２０７）と、表示された該グラフィカル要素の該更新可能な領域（２０５）の更新を該更新可能な要素（２０７）を用いて制御する制御プログラム（２０９）とを送るように動作可能な手段と、及び
１以上の更新された要素（２０７）を該第二の装置（１０９ａ−ｅ）に向けて更に送るように動作可能な手段と、を備えており、
該第二の装置（１０９ａ−ｅ）は、該第一の装置（１０１，１０５)からデータを要求するように動作可能な手段と、
該第一の装置（１０１，１０５)からデータを受信して、該グラフィカル要素（２０２）を該更新可能な要素（２０７）を用いて表示するように動作可能な手段と、
１以上の更新された要素（２０７）を受信するように動作可能な手段と、及び
該制御プログラムの制御の下で、表示された該グラフィカル要素（２０２）の該更新可能な領域（２０５）を該更新された要素（２０７）を用いて更新するように動作可能な手段と、を備えているシステム。
【請求項６】  請求項５記載のシステムであって、該更新可能な要素（２０７）は、データ要素（２０７）を含み、
該更新可能な領域（２０５）を更新するように動作可能な該更新手段は、該データ要素を該対応する更新可能な領域内に入れる手段を含んでいるシステム。
【請求項７】  請求項５または６記載のシステムであって、
該データはさらに代りのグラフィカルサブ要素の少くとも一組を備え、
該更新可能な要素（５１６，５１７ａ、ｂ）は、該グラフィカル要素の領域内に表示されることになる該少なくとも一組の代わりのグラフィカルサブ要素（５０３）またはその一つから、少なくとも一つのグラフィカルサブ要素（５０３)を識別する１以上のサブ要素命令（５１７ａ）を含んでおり、さらに、
該更新可能な領域（５０５）を更新するように動作可能な該更新手段は、該更新されたサブ要素命令（５１７ａ）に従って、該または各適切なグラフィカルサブ要素（５０３）を該表示されたグラフィカル要素（５０２）の該対応する領域（５０５）内に表示する手段を含んでいるシステム。
【請求項８】  通信リンクもしくはネットワーク（１０７）上でデータ源（１０１，１０５）からデータを取得するクライアント装置（１０９ａ−ｅ）であって、
該データは、
１以上の更新可能な領域(２０５)を有するグラフィカル要素(２０２)と、
該更新可能な領域(２０５)に対応している１以上の更新可能な要素(２０７)とを備え、
該クライアント装置（１０９ａ−ｅ）は、
該データ源（１０１，１０５)から該データを要求する手段と、
該グラフィカル要素（２０２）と、少くとも一つの更新可能な要素(２０７)と、表示された該グラフィカル要素（２０２）の該更新可能な領域(２０５)の更新を制御する制御プログラム（２０９）とを受信する手段と、
該グラフィカル要素（２０２）を表示する手段と、
１以上の更新された要素(２０７)を取得する手段と、
該制御プログラム（２０９）の制御の下で、該対応する更新された要素(２０７)を用いて該表示されたグラフィカル要素（２０２）の該更新可能な領域(２０５)を更新する更新手段とを備えたクライアント装置。
【請求項９】  通信リンクもしくはネットワーク（１０７）上でデータ源(１０１，１０５)から宛先装置（１０９ａ−ｅ）へ向けてデータを供給するデータサーバ装置（１０１，１０５）であって、
該データは、
１以上の更新可能な領域（２０５)を有するグラフィカル要素（２０２）と、
該更新可能な領域(２０５)に対応している１以上の更新可能な要素（２０７）とを備え、
該データサーバ装置（１０１，１０５）は、
該宛先装置（１０９ａ−ｅ）からのデータ要求に応答して、該グラフィカル要素（２０２）と、少くとも一つの更新可能な要素(２０７)と、表示された該グラフィカル要素の該更新可能な領域（２０５）の更新を該更新可能な要素を用いて制御する制御プログラム（２０９）とを送る送信手段を備え、
該送信手段は、１以上の更新された要素（２０７）を送信するように更に動作可能であるデータサーバ装置。
【請求項１０】  計算機に、請求項１ないし４のいずれか１項記載の方法を実行させるための、もしくは請求項５ないし９のいずれか１項記載の装置として動作させるための命令を表わしている計算機が読取り可能なコードを有する記憶媒体。
【請求項１１】  キャリヤ波内に組織されていて、計算機に、請求項１ないし４のいずれか１項記載の方法を実行させるための、もしくは、、請求項５ないし９のいずれか１項記載の装置として動作させるための命令を表わしている計算機データ信号。